(57)【要約】【課題】取付用の貫通孔を起因とした導光板内の影を抑制することで、導光板の表面での光の均一性を高める。【解決手段】照明装置１０は、表面（出射面３２）と、表面と反対側の裏面（反射面３３）と、光が入射する入射面３１とを有し、入射面３１から入射した光を導光して、裏面に形成された複数の凹部３７で光を反射し、表面から光を出射する導光板３０と、入射面３１に対して光を入射するように、当該入射面３１の延設方向に沿って配列された複数の光源１５２と、を備えている。導光板３０における入射面３１側の端部には、表面から裏面にかけて貫通する複数の貫通孔３６が、入射面に沿って配列されている。複数の貫通孔３６の少なくとも一つに入射面３１を介して対向する対向領域Ｈ１では、非対向領域ｈ１、ｈ２よりも複数の光源１５２が密に配置されている。【選択図】図３
2018198120.tif 000002
【特許請求の範囲】
【請求項１】
表面と、前記表面と反対側の裏面と、光が入射する入射面とを有し、前記入射面から入射した光を導光して、前記裏面に形成された複数の凹部で光を反射し、前記表面から光を出射する導光板と、
前記入射面に対して光を入射するように、当該入射面の延設方向に沿って配列された複数の光源と、を備え、
前記導光板における前記入射面側の端部には、前記表面から前記裏面にかけて貫通する複数の貫通孔が、前記入射面に沿って配列されており、
前記複数の貫通孔の少なくとも一つに前記入射面を介して対向する対向領域では、非対向領域よりも前記複数の光源が密に配置されている
照明装置。
【請求項２】
前記対向領域に配置される複数の光源は等間隔で配列されており、
前記非対向領域に配置される複数の光源は前記対向領域から離れるにしたがって間隔が大きくなるように配列されている
請求項１に記載の照明装置。
【請求項３】
前記複数の光源のうち、前記延設方向における両端の光源は、前記複数の貫通孔のうち両端の貫通孔に対して光を照射した場合に形成される影が前記導光板のミキシング領域内に収まる位置に配置されている
請求項１または２に記載の照明装置。
【請求項４】
前記複数の貫通孔のうち、前記両端の貫通孔以外の貫通孔に対向する複数の前記対向領域では、前記非対向領域よりも前記複数の光源が密に配置されている
請求項３に記載の照明装置。
【請求項５】
前記裏面における前記複数の凹部の被覆率は、前記複数の光源のそれぞれからの光により形成される前記貫通孔の影に重畳する領域では、その他の領域よりも高い
請求項１〜４のいずれか一項に記載の照明装置。
【請求項６】
前記裏面における前記複数の凹部の被覆率は、前記入射面側から離れるにしたがって、低くなっている
請求項１〜５のいずれか一項に記載の照明装置。
【発明の詳細な説明】
【技術分野】
【０００１】
本発明は、照明装置に関する。
【背景技術】
【０００２】
従来、光源からの光を導光板の側面に入射して導光板の表面から出射させる導光板を用いた照明装置が知られている（例えば特許文献１参照）。
【先行技術文献】
【特許文献】
【０００３】
【特許文献１】特開平５−１０７５４２号公報
【発明の概要】
【発明が解決しようとする課題】
【０００４】
導光板においては、照明装置の器具本体に取り付けるための貫通孔が設けられているが、貫通孔は、導光板内を進行する光を遮ってしまい、導光板内に影を発生させてしまう。影が発生すると、発光時における導光板の表面の見栄えが損なわれてしまう。
【０００５】
このため、本発明の目的は、取付用の貫通孔を起因とした導光板内の影を抑制し、導光板の表面での光の均一性を高めることのできる照明装置を提供することである。
【課題を解決するための手段】
【０００６】
上記課題を解決するために、本発明の一態様に係る照明装置は、表面と、表面と反対側の裏面と、光が入射する入射面とを有し、入射面から入射した光を導光して、裏面に形成された複数の凹部で光を反射し、表面から光を出射する導光板と、入射面に対して光を入射するように、当該入射面の延設方向に沿って配列された複数の光源と、を備え、導光板における入射面側の端部には、表面から裏面にかけて貫通する複数の貫通孔が、入射面に沿って配列されており、複数の貫通孔の少なくとも一つに入射面を介して対向する対向領域では、非対向領域よりも複数の光源が密に配置されている。
【発明の効果】
【０００７】
本発明によれば、取付用の貫通孔を起因とした導光板内の影を抑制することで、導光板の表面での光の均一性を高めることができる。
【図面の簡単な説明】
【０００８】
【図１】図１は、実施の形態に係る照明装置の斜視図である。
【図２】図２は、実施の形態に係る照明装置の断面図である。
【図３】図３は、実施の形態に係る導光板及び発光モジュールを示す上面図である。
【図４】図４は、貫通孔によって導光板内に形成される影の一例を示す説明図である。
【図５】図５は、貫通孔を起因とした影の発生を抑制する構造の一例を示す説明図である。
【図６】図６は、実施の形態に係る一端の光源と、一端の貫通孔との位置関係を示す説明図である。
【図７】図７は、変形例１に係る導光板の一部を示す拡大図である。
【図８】図８は、変形例２に係る導光板の一部を示す拡大図である。
【図９】図９は、変形例３に係る導光板の一部を示す拡大図である。
【図１０】図１０は、変形例４に係る照明装置の断面図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
以下、本発明の実施の形態に係る導光板及び導光板を用いた照明装置について説明する。
【００１２】
［構成］
まず、本発明の実施の形態に係る照明装置の構成について、図１及び図２を用いて説明する。図１は、実施の形態に係る照明装置１０の斜視図である。図２は、実施の形態に係る照明装置１０の断面図である。
【００１３】
図１及び図２に示すように、照明装置１０はエッジライト方式の照明装置であり、天井に固定されている。具体的には、照明装置１０は、天井裏に配置された外部の電源（図示省略）と接続された状態で、天井に固定されている。
【００１４】
照明装置１０は、本体部１１と、電源部１３と、一対の発光モジュール１５と、一対の導光板３０とを備えている。
【００１５】
本体部１１は、長尺な箱状に形成されており、外部の電源に電気的に接続された電源部１３を収容している。また、本体部１１の両側部には、それぞれ導光板支持部２１が設けられている。なお、導光板支持部２１は、本体部１１の両側部において同等であるので、一方の導光板支持部２１について説明し、他方の導光板支持部２１については省略する。
【００１６】
導光板支持部２１は、本体部１１の一側面から他方側に向けて凹んだ矩形状の溝部である。導光板支持部２１における天面には、導光板３０をネジ止めするための複数のネジ穴２１１が形成されている。複数のネジ穴２１１は、本体部１１の長手方向に沿って所定の間隔で配列されている。導光板支持部２１で支持された導光板３０は、天井と概ね平行に配置される。また、導光板支持部２１における奥側の内側面は、当該導光板支持部２１の天面に対して略直交している。この導光板支持部２１の内側面には、発光モジュール１５が取り付けられている。
【００１７】
発光モジュール１５は、導光板支持部２１内に配置されており、基板１５１と、複数の光源１５２とを備えている。
【００１８】
基板１５１は、長尺な矩形板状の基板である。基板１５１は、本体部１１の長手方向と平行となるように、導光板支持部２１の内側面に設置されている。
【００１９】
複数の光源１５２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。光源１５２は、電源部１３に備わる制御部（図示省略）により制御されて点灯及び消灯する。また、各光源１５２は、制御部によって調光調色制御が行われる。
【００２０】
なお、発光モジュール１５は、このような構成に限定されるものではなく、基板１５１上にＬＥＤチップが直接的に実装されたＣＯＢ（Ｃｈｉｐ  Ｏｎ  Ｂｏａｒｄ）型の発光モジュールが用いられてもよい。また、光源１５２が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２１】
複数の光源１５２は、導光板３０の入射面３１と、導光板支持部２１の内側面との間に配置されている。光源１５２は、光を出射する出射方向が導光板３０の入射面３１に対向するように配置されており、当該入射面３１に向けて光を入射させる。つまり、光源１５２の出射方向は、導光板３０の入射面３１と略垂直な関係にある。
【００２２】
導光板３０は、平面視で長方形の平板状をなしている。導光板３０は、光源１５２からの光を後述する出射面３２に向かって導光する光学部材である。導光板３０は、ポリカーボネートや、アクリルなどの透光性の樹脂から形成されているが、その他の透光性を有する材料から形成されていてもよい。
【００２３】
導光板３０は、天井に対して略平行となるように導光板支持部２１で支持されている。導光板３０における導光板支持部２１内に配置された一側面は、複数の光源１５２からの光が入射する入射面３１である。入射面３１は、本体部１１の長手方向に沿って延設されている。この入射面３１の延設方向に沿って、複数の光源１５２が所定の間隔をあけて配列されている。
【００２４】
導光板３０の一対の主面のうち、一方の主面が下方を向く表面であり、光を出射する出射面３２である。導光板３０の一対の主面のうち、反対側の主面が天井を向く裏面であり、導光板３０内を通過する光を反射する反射面３３である。導光板３０においては、出射面３２と反射面３３との間に入射面３１が設けられている。
【００２５】
導光板３０の入射面３１及び出射面３２は、平面をなしている。導光板３０の反射面３３は、導光板３０の出射面３２と反対側の面である。
【００２６】
図３は、実施の形態に係る導光板３０及び発光モジュール１５を示す上面図である。図３に示すように、導光板３０は、ミキシング領域Ｍ１と、反射領域Ｍ２とを備えている。
【００２７】
反射領域Ｍ２は、ミキシング領域Ｍ１よりも光源１５２から遠い領域であって、複数の光源１５２の光が混ざり合って輝度が均一化されている領域のことである。図２及び図３に示すように、導光板３０の反射面３３における反射領域Ｍ２には、出射面３２に向かって凹む複数の凹部３７が行列状に配列されている。換言すると、反射領域Ｍ２は、複数の凹部３７が形成された領域とも言える。
【００２８】
凹部３７は、錐台状或いは錐体状にくぼんだプリズムである。例えば、凹部３７の具体的形状としては、円錐台状、角錐台状、円錐体状、角錐体状などが挙げられる。導光板３０を進行する光は、導光板３０における凹部３７の内面によって反射し、出射面３２に向かい、出射面３２から出射して照明光となる。
【００２９】
ミキシング領域Ｍ１は、入射面３１から入射した複数の光源１５２の光が十分に混ざり合っていない領域のことである。ミキシング領域Ｍ１は、入射面３１と反射領域Ｍ２との間に介在している。ミキシング領域Ｍ１における入射面３１側の端部には、出射面３２から反射面３３にかけて貫通する複数の貫通孔３６が形成されている。複数の貫通孔３６は、入射面３１の延設方向に沿って、所定の間隔をあけて配列されている。この複数の貫通孔３６を介して、導光板支持部２１のネジ穴２１１にネジ８０を締結することで、導光板３０が導光板支持部２１に支持される。
【００３０】
［貫通孔と光源との位置関係］
ところで、ネジ止め用の貫通孔３６は、導光板３０内を進行する光を遮ってしまう。図４は、貫通孔３６によって導光板３０内に形成される影の一例を示す説明図である。なお、図４では、一つの貫通孔３６に対して一つの光源１５２が配置された状態を示している。図４に示すように、光源１５２から発せられた光Ｌは、入射面３１から導光板３０内に入射して、導光板３０内を進行する。このとき、光Ｌの一部が貫通孔３６によって遮られるため、導光板３０内には影Ｓ１が形成される。このような影Ｓ１が発生すると、発光時における導光板３０の表面の見栄えが損なわれてしまう。
【００３１】
このため、本実施の形態では、影Ｓ１の発生を抑制する構造を採用している。具体的には、影Ｓ１の発生が抑えられるように、複数の貫通孔３６と、複数の光源１５２との位置関係を決定している。以下、複数の貫通孔３６と、複数の光源１５２との位置関係について詳細に説明する。
【００３２】
図５は、貫通孔３６を起因とした影Ｓ１の発生を抑制する構造の一例を示す説明図である。図５では、導光板３０の入射面３１を介して貫通孔３６に対向する対向領域Ｈ１では、複数の光源１５２が図４の場合よりも密に配置されている。なお、対向領域Ｈ１は、基板１５１上の領域である。具体的には、対向領域Ｈ１内においては、４つの光源１５２が等間隔で配列されている。このように対向領域Ｈ１で複数の光源１５２が密に配置されていると、各光源１５２が発した光Ｌによって貫通孔３６が照らされるので、影Ｓ１が打ち消されることになる。なお、図５では、一つの光源１５２からの光を起因とした影Ｓ１のみを示している。実際には対向領域Ｈ１内にある全ての光源１５２からの光によって複数の影が形成されるが、これらの影もその他の光源１５２からの光によって打ち消されることになる。
【００３３】
ここで対向領域Ｈ１の中心は、貫通孔３６の中心と同じ位置であり、対向領域Ｈ１の幅は、式（１）で求められる。
【００３４】
【数１】
2018198120.tif 000003
【００３５】
ここで、図３に示すように、αは、光源１５２の照射角の半分の角度である。具体的には、αは４２度である。辺Ａは、対向領域Ｈ１の最も端に位置する光源１５２の中心を通過する法線に対して、角度αで交差する直線であり、貫通孔３６に正接する直線である。辺Ｂは、入射面３１の法線であって、貫通孔３６の中心を通過する直線である。辺Ｃは、辺Ａにおける入射面３１の交点と、辺Ｂにおける入射面３１との交点とを結ぶ直線である。この辺Ｃを二倍したものが対向領域Ｈ１の幅となる。対向領域Ｈ１の幅は、式（１）で求められた値以下であればよい。
【００３６】
また、対向領域Ｈ１内に配置される、隣り合う光源１５２同士の間隔は、貫通孔３６の直径よりも小さい。この間隔が貫通孔３６の直径以上であると、対向領域Ｈ１内に設置できる光源１５２の個数が少なくなってしまい、影Ｓ１の打ち消し量が小さくなってしまう。なお、この間隔の最小値は２ｍｍである。また、この間隔は、隣り合う光源１５２の中心位置の間隔であってもよいし、隣り合う光源１５２の隙間間隔であってもよい。
【００３７】
本実施の形態では、図３に示すように、複数の貫通孔３６のうち、両端の貫通孔３６以外の貫通孔３６に入射面３１を介して対向する領域が対向領域Ｈ１である。一方、両端の貫通孔３６に入射面３１に対向する領域は、光源１５２が実装されてない未実装領域Ｈ２である。複数の対向領域Ｈ１の間の領域は、貫通孔３６に対向していない非対向領域ｈ１である。対向領域Ｈ１と未実装領域Ｈ２との間の領域は、貫通孔３６に対向していない非対向領域ｈ２である。なお、本実施の形態では、未実装領域Ｈ２と非対向領域ｈ２との境界部分に、一つの光源１５２が配置されているので、部分的に光源１５２が未実装領域Ｈ２に進入している。この場合においても、未実装領域Ｈ２に光源１５２が実装されてないものとする。
【００３８】
ここで、非対向領域ｈ１、ｈ２においても、対向領域Ｈ１と同様の密度で複数の光源１５２が配列されていると、光源１５２の設置個数が多くなり、コスト増を招く。このため、非対向領域ｈ１、ｈ２においては、対向領域Ｈ１よりも密度を低く複数の光源１５２を配列することが求められる。この際、非対向領域ｈ１、ｈ２内に複数の光源１５２を均等に配列してしまうと、光源１５２が密に配置された対向領域Ｈ１との境界部分で輝度が急峻に変化して輝度ムラが目立つことになる。この輝度ムラを抑制するために、非対向領域ｈ１、ｈ２における複数の光源１５２の配列を適切なものとする。
【００３９】
例えば、非対向領域ｈ１に配置される複数の光源１５２は対向領域Ｈ１から離れるにしたがって間隔が大きくなるように配列されている。なお、非対向領域ｈ１では、２つの対向領域Ｈ１に挟まれている領域であるので、複数の光源１５２の間隔は、真ん中の間隔が最も広く、両端の間隔が最も狭くなっている。図３に示すように、非対向領域ｈ１内に６つの光源１５２が配列されている場合には、真ん中の間隔ｄ３と、両端の間隔ｄ１と、これらの間にある間隔ｄ２との関係は、ｄ１＜ｄ２＜ｄ３となる。なお、間隔ｄ１は、対向領域Ｈ１における複数の光源１５２の間隔以上の大きさである。
【００４０】
また、非対向領域ｈ２に配置される複数の光源１５２は対向領域Ｈ１から離れるにしたがって間隔が大きくなるように配列されている。図３に示すように、非対向領域ｈ２内に５つの光源１５２が配列されている場合には、対向領域Ｈ１に近い順に間隔ｄ４、間隔ｄ５、間隔ｄ６、間隔ｄ７とすると、これらの関係は、ｄ４＜ｄ５＜ｄ６＜ｄ７となる。なお、間隔ｄ４は、対向領域Ｈ１における複数の光源１５２の間隔以上の大きさである。
【００４１】
このように、非対向領域ｈ１、ｈ２においては、複数の光源１５２が対向領域Ｈ１から離れるにしたがって間隔が大きくなるように配列されているので、対向領域Ｈ１から離れるにつれて徐々に輝度が弱まることになる。つまり、対向領域Ｈ１と非対向領域ｈ１、ｈ２との境界部分で急峻に輝度が変化することを抑えることができ、輝度ムラが目立つことを抑制することができる。
【００４２】
次に、両端の光源１５２と、両端の貫通孔３６との位置関係について説明する。
【００４３】
図６は、実施の形態に係る一端の光源１５２と、一端の貫通孔３６との位置関係を示す説明図である。なお、他端側においても光源１５２と貫通孔３６との位置関係は一端側と同様であるので、ここで説明は省略する。
【００４４】
図６に示すように、複数の光源１５２のうち、延設方向における一端の光源１５２は、複数の貫通孔３６のうち一端の貫通孔３６に対して光を照射した場合に形成される影Ｓ２が導光板３０のミキシング領域Ｍ１内に収まる位置に配置されている。これにより、未実装領域Ｈ２に密に光源１５２を設けなくとも、一端の貫通孔３６を起因とした影Ｓ２が反射領域Ｍ２に進入することを防止できる。
【００４５】
［効果など］
以上のように、本実施の形態に係る照明装置１０は、表面（出射面３２）と、表面と反対側の裏面（反射面３３）と、光が入射する入射面３１とを有し、入射面３１から入射した光を導光して、裏面に形成された複数の凹部３７で光を反射し、表面から光を出射する導光板３０と、入射面３１に対して光を入射するように、当該入射面３１の延設方向に沿って配列された複数の光源１５２と、を備えている。導光板３０における入射面３１側の端部には、表面から裏面にかけて貫通する複数の貫通孔３６が、入射面に沿って配列されている。複数の貫通孔３６の少なくとも一つに入射面３１を介して対向する対向領域Ｈ１では、非対向領域ｈ１、ｈ２よりも複数の光源１５２が密に配置されている。
【００４６】
これによれば、対向領域Ｈ１では、非対向領域ｈ１、ｈ２よりも複数の光源１５２が密に配置されているので、貫通孔３６は複数の光源１５２によって照らされることになる。これにより、一つの光源１５２で照射された場合に形成される影Ｓ１は、その他の光源１５２からの光によって打ち消される。したがって、取付用の貫通孔３６を起因とした導光板３０内の影Ｓ１を抑制することができ、導光板３０の出射面３２での光の均一性を高めることができる。
【００４７】
また、対向領域Ｈ１に配置される複数の光源１５２は等間隔で配列されており、非対向領域ｈ１、ｈ２に配置される複数の光源１５２は対向領域Ｈ１から離れるにしたがって間隔が大きくなるように配列されている。
【００４８】
これによれば、非対向領域ｈ１、ｈ２においては、複数の光源１５２が対向領域Ｈ１から離れるにしたがって間隔が大きくなるように配列されているので、対向領域Ｈ１から離れるにつれて徐々に輝度が弱まることになる。つまり、対向領域Ｈ１と非対向領域ｈ１、ｈ２との境界部分で急峻に輝度が変化することを抑えることができ、輝度ムラが目立つことを抑制することができる。
【００４９】
また、複数の光源１５２のうち、延設方向における両端の光源１５２は、複数の貫通孔３６のうち両端の貫通孔３６に対して光を照射した場合に形成される影Ｓ２が導光板３０のミキシング領域Ｍ１内に収まる位置に配置されている。
【００５０】
これによれば、両端の貫通孔３６を起因とした影Ｓ２が導光板３０のミキシング領域Ｍ１内に収まるので、未実装領域Ｈ２に密に光源１５２を設けなくとも、影Ｓ２が反射領域Ｍ２に進入することを防止できる。したがって、反射領域Ｍ２の出射面３２での光の均一性を高めることができる。
【００５１】
また、複数の貫通孔３６のうち、両端の貫通孔３６以外の貫通孔３６に対向する複数の対向領域Ｈ１では、非対向領域ｈ１、ｈ２よりも複数の光源１５２が密に配置されている。
【００５２】
これによれば、複数の対向領域Ｈ１の全てで、非対向領域ｈ１、ｈ２よりも複数の光源１５２が密に配置されているので、両端の貫通孔３６以外の貫通孔３６を起因とした影の発生を抑制することができる。したがって、導光板３０の表面での光の均一性をより高めることができる。
【００５３】
［変形例１］
上実施の形態では、複数の凹部３７が導光板３０の反射面３３にて行列状に配列されている場合を例示した。変形例１〜３においては、複数の凹部３７のその他のレイアウト例について説明する。なお、以下の説明において、上記実施の形態と同一の部分においては、その説明を省略する場合がある。
【００５４】
図７は、変形例１に係る導光板３０Ａの一部を示す拡大図である。図７では、複数の光源１５２のそれぞれが発する光のうち、貫通孔３６に到達する光と、当該光が貫通孔３６で遮られることで形成される影を一対の仮想線Ｌ２、Ｌ３で示している。つまり、一対の仮想線Ｌ２、Ｌ３で挟まれた部分において、貫通孔３６から光源１５２までが光を示しており、その反対側の部分が影を示している。
【００５５】
図７に示すように導光板３０Ａでは、反射面３３ａにおける単位面積あたりの複数の凹部３７の被覆率は、複数の光源１５２のそれぞれからの光により形成される貫通孔３６の影に重畳する領域では、その他の領域よりも高い。ここで、貫通孔３６の影に重畳する領域は、一対の仮想線Ｌ２、Ｌ３で挟まれた影を示す領域である。このように、反射面３３ａの反射領域Ｍ２では、一対の仮想線Ｌ２、Ｌ３で挟まれた領域の被覆率が、その他の領域よりも高い。変形例１では、影に重畳する領域の被覆率は一定であり、その他の領域の被覆率も一定である。
【００５６】
ここで、被覆率とは、単位面積あたりの、複数の凹部３７によって占有された部分の割合のことである。複数の凹部３７が同形状である場合には、被覆率は凹部３７の密度とも言える。また、凹部３７の大きさを変えることで、被覆率を調整することも可能である。被覆率が高い部分では、複数の凹部３７によって多くの光が出射面３２に向けて反射されるため、輝度が高められる。つまり、影が発生したとしても当該領域では輝度が高められるので、その他の領域との輝度の差が小さくなる。したがって、導光板３０の出射面３２での光の均一性をより高めることができる。
【００５７】
［変形例２］
図８は、変形例２に係る導光板３０Ｂの一部を示す拡大図である。図８は、図７に対応する図である。変形例１では、影に重畳する領域の被覆率が一定である場合を例示した。この変形例２では、影に重畳する領域の被覆率が場所により変更されている場合を例示する。
【００５８】
ここで、貫通孔３６を起因とした影は、入射面３１から遠くなればなるほど薄くなる。つまり、入射面３１から遠い部分においては、その他の領域との輝度の差が小さくなる。このため、導光板３０Ｂの反射面３３ｂにおける貫通孔３６の影に重畳する領域では、入射面３１から離れるほど被覆率を低くして、影の延設方向における輝度ムラを抑制している。なお、この場合、被覆率の下限値は、導光板３０Ｂ内の光を輝度ムラなく反射させる程度の値にしておけばよい。つまり、被覆率をゼロまで下げない方がよい。
【００５９】
また、影に重畳する領域の両端部分では、その他の領域からの光によって影が薄まっており、その他の領域との輝度の差が小さい。このため、影に重畳する領域の中央部分では被覆率を大きくし、両端部分では中央部分よりも被覆率を低くすることにより、影の幅方向における輝度ムラを抑制している。また、影に重畳する領域と、その他の領域との境界部分（一対の仮想線Ｌ２、Ｌ３の近傍部分）で、被覆率が急峻に変化しない。これにより、影に重畳する領域とその他の領域との被覆率の違いによる違和感を抑制することができる。
【００６０】
なお、変形例２では、影の延設方向における輝度ムラ対策と、影の幅方向における輝度ムラ対策との両者が行われている場合を例示したが、一方の対策のみが講じられていてもよい。
【００６１】
［変形例３］
図９は、変形例３に係る導光板３０Ｃの一部を示す拡大図である。図９は、図７に対応する図である。変形例１では、影に重畳する領域の内外で被覆率が異なる場合を例示した。この変形例３では、影に重畳する領域に関係なく被覆率が場所により変更されている場合を例示する。
【００６２】
図９に示すように、変形例３に係る導光板３０Ｃの反射面３３ｃでは、複数の凹部３７が、入射面３１に近い部分で横縞の模様をなすように配列されている。具体的には、入射面３１に近い部分における各行の複数の凹部３７は、その他の部分よりも広い行間となっている。前述したように、貫通孔３６を起因とした影は、入射面３１から遠くなればなるほど薄くなる。このため、入射面３１に近い部分にのみ視認できる程度の模様を複数の凹部３７で形成すれば、当該模様が目立って、影が存在していないような錯覚をユーザに与えることができる。
【００６３】
なお、複数の凹部３７がなす模様で影が存在していないように錯覚させることができるのであれば、複数の凹部３７は、変形例３で例示した以外の模様を形成していてもよい。
【００６４】
［変形例４］
上記実施の形態では、導光板３０が平板状である場合を例示した。この変形例４では、導光板３０Ｄにおける入射面側の端部が曲げられた場合を例示して説明する。
【００６５】
図１０は、変形例４に係る照明装置１０Ｄの断面図である。図１０に示すように、照明装置１０Ｄに備わる導光板３０Ｄは、入射面３１側の端部が曲げられており、入射面３１が下方を向いている。発光モジュール１５は、導光板３０Ｄの入射面３１に対して、複数の光源１５２が対向するように、導光板支持部２１の底面に設置されている。
【００６６】
上記実施の形態での対向領域Ｈ１では、複数の光源１５２と貫通孔３６とが直線的に対向している場合を例示したが、この変形例４に係る対向領域では、複数の光源１５２と貫通孔３６とが曲線的に対向することになる。いずれの場合でも、対向領域では、入射面３１から導光板３０、３０Ｄ内に入射した光の進行方向において、複数の光源１５２と貫通孔３６とが対向している。この変形例４に係る照明装置１０Ｄにおいても、上記実施の形態に係る照明装置１０と同様の効果を奏することができる。
【００６７】
［その他］
以上、本発明に係る照明装置１０及び導光板３０について、上記実施の形態及び変形例１〜４に基づいて説明したが、本発明は、上記の実施の形態及び変形例１〜４に限定されるものではない。
【００６８】
例えば、上記実施の形態では、複数の貫通孔３６のうち、両端の貫通孔３６に対向する領域においては、未実装領域Ｈ２として光源１５２を実装しない場合を例示した。しかし、両端の貫通孔３６に対向する領域においても、非対向領域ｈ１、ｈ２よりも密に光源１５２が配置された対向領域としてもよい。これにより、両端の貫通孔３６を起因とした影の発生を抑制することが可能である。
【００６９】
また、上記実施の形態では、３つの対向領域Ｈ１の全てで、非対向領域ｈ１、ｈ２よりも複数の光源１５２が密に配置されている場合を例示したが、少なくとも１つの対向領域Ｈ１で、複数の光源１５２が非対向領域ｈ１、ｈ２よりも密に配置されていればよい。
【００７０】
また、上記実施の形態では、非対向領域ｈ１、ｈ２に配置される複数の光源１５２が対向領域Ｈ１から離れるにしたがって間隔が大きくなるように配列されている場合を例示した。しかし、非対向領域ｈ１、ｈ２においては、対向領域Ｈ１よりも密度が小さいのであれば、複数の光源１５２のレイアウトは如何様でもよい。例えば、非対向領域ｈ１、ｈ２では、複数の光源１５２が等間隔で配列されていてもよい。
【００７１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７２】
１０、１０Ｄ  照明装置
３０、３０Ａ、３０Ｂ、３０Ｃ、３０Ｄ  導光板
３１  入射面
３２  出射面（表面）
３３、３３ａ、３３ｂ、３３ｃ  反射面（裏面）
３６  貫通孔
３７  凹部
１５２  光源
ｈ１、ｈ２  非対向領域
Ｈ１  対向領域
Ｌ  光
Ｍ１  ミキシング領域
Ｓ１、Ｓ２  影
【図１】
2018198120.tif 000004
【図２】
2018198120.tif 000005
【図３】
2018198120.tif 000006
【図４】
2018198120.tif 000007
【図５】
2018198120.tif 000008
【図６】
2018198120.tif 000009
【図７】
2018198120.tif 000010
【図８】
2018198120.tif 000011
【図９】
2018198120.tif 000012
【図１０】
2018198120.tif 000013